(57)【要約】【課題】把持部を清潔に収納することができる体脂肪測定装置を提供すること。【解決手段】測定時に被測定者が乗る人体載置部１０２と、被測定者が手で把持する把持部１０５とを有し、把持部１０５と人体載置部１０２をケーブル１０８で接続し、人体載置部１０２と連設してケーブル１０８と把持部１０５を収納する箱状収納部１１６を形成し、箱状収納部１１６の開口部１１８を覆うカバー部１１７を設けたので、把持部１０５を収納時にカバー部１１７で把持部１０５を含めた開口部１１８を覆うことだできるので、日常生活の埃・ゴミ等の付着から把持部１０５を守り、清潔に保つことができる。【選択図】図１
2006296771.tif 000002
【特許請求の範囲】
【請求項１】
被測定者の足に接触する足部電極と、
前記足部電極を備え測定時に被測定者が乗る人体載置部と、
被測定者の手に接触する手部電極と、
前記手部電極を備え測定時に被測定者が手で把持する把持部と、
前記人体載置部内に前記足部電極と前記手部電極の間のインピーダンスを測定するインピーダンス測定手段と、
被測定者の身体的特徴をあらわす被測定者情報を入力する入力手段と、
前記インピーダンスと前記被測定者情報から体脂肪率を計算する計算手段と、
前記計算結果を報知する報知手段を有し、
前記把持部と前記人体載置部をケーブルで接続し、
前記人体載置部と連接して前記ケーブルと前記把持部を収納する箱状収納部を形成し、
前記箱状収納部の開口部を覆うカバー部を設けたことを特徴とする体脂肪測定装置。
【請求項２】
カバー部は箱状収納部の外周に沿って摺動する回転式カバーで構成したことを特徴とする請求項１に記載の体脂肪測定装置。
【請求項３】
回転式カバーは、自重による回転力を開方向へ発生するような荷重バランスとなるように構成し、前記回転式カバー閉時は回転式カバーを係止するロック機構を構成したことを特徴とする請求項２に記載の体脂肪測定装置。
【請求項４】
ロック機構は、回転式カバーの長手方向中央部分に設けた凸部と箱状収納部の相対する位置に設けた凸部で構成したことを特徴とする請求項３に記載の体脂肪測定装置。
【請求項５】
箱状収納部は、人体載置部との連接部分に回転式カバーの自重による回転力よりも大きな摺動摩擦力を発生する摺動摩擦機構を備えたことを特徴とする請求項３〜４のいずれか１項に記載の体脂肪測定装置。
【請求項６】
箱状収納部は、床面方向への貫通穴を備えたことを特徴とする請求項１〜５のいずれか１項に記載の体脂肪測定装置。
【発明の詳細な説明】
【技術分野】
【０００１】
本発明は身体内部のインピーダンスに基づき体脂肪率を測定する体脂肪測定装置に関
するものである。
【背景技術】
【０００２】
従来のこの種の体脂肪測定装置は、装置本体に両手で把持できる把持部及びフット電極部に電極を有し、被測定者は両手で装置本体を把持し、フット電極部に乗って決められ
た姿勢を取って測定すれば、把持部及びフット電極部に備えられた電極が手のひら及び足の裏に接触することによって手足間のインピーダンスを測定し、計算により体脂肪率を測定することができるようになっていた（例えば、特許文献１参照）。
【０００３】
しかしながら、インピーダンス測定部を含む装置本体に把持部を有していると、どうしても把持部の形状が大きくなり、体脂肪測定後収納時にはフット電極部とそのフット電極部とほぼ同等な大きさの把持部の２パーツを取り扱うことになり収納及び再使用開始が困難であった。
【０００４】
これに対して、手部電極を備えた把持部と足部電極を備えた人体載置部をケーブルで接続し、人体載置部の外側と連設して箱状収納部を形成しケーブルと把持部を箱状収納部に着脱自在に装着可能にしたものが提案されている（例えば、特許文献２参照）。
【０００５】
図８は、特許文献２に記載された従来の体脂肪測定装置を示すものである。図８に示すように、体脂肪測定装置は上面に人体載置部２を形成し、ここに足部電極１が取り付けられている。また、人体載置部２には、報知手段として液晶表示器７が備えられている。人体載置部２の下部には重量測定機構を有する体重測定部３を構成しており、把持部５に主部電極４が取り付けられている。人体載置部２と把持部５はケーブル８で接続されている。
【０００６】
被測定者９は身長等の身体特定化情報を入力した後に、図９に示すように、把持部５を握って人体載置部２の上に素足で乗る。このとき、足部電極と手部電極間に高周波電流が印加され、この印加電流によって生じる電位差を検出して、インピーダンスを測定し、インピーダンス測定値と前記身体特定化情報とに基づいて体脂肪率を算出し、液晶表示器７に表示する。
【０００７】
測定終了時は、図１０に示すように、ケーブル８を人体載置部２に連接された箱状収納部６内に収納した後に、把持部５を装着することができるので、人体載置部２と一体感があると同時に美観的にも良いものとなる。
【特許文献１】特開平７―５９７４４号公報
【特許文献２】特開２０００―３３３９２５号公報
【発明の開示】
【発明が解決しようとする課題】
【０００８】
しかしながら、前記従来の構成では、把持部は表面に剥き出しの状態で箱状収納部に装着されているので、日常生活で舞い上がる埃・ゴミ等が把持部、ケーブルおよび箱状収納部に付着してしまう。ところで、体脂肪測定装置を入浴後に使用するというのは十分に想定される使用状況である。つまり、従来の構成では、入浴後の清潔な手で触れる把持部が日常生活の埃等で汚れており、清潔性にかけるという課題を有していた。
【０００９】
また、箱状収納部自体にも埃・ゴミ等がたまりやすい一方、収納部全体は表面から見えにくい構造のため、掃除し難く、清潔に保つことが困難であるという課題を有していた。
【００１０】
本発明は、前記従来の課題を解決するもので、把持部の操作性・収納性を損なうことなく、把持部を埃・ゴミ等の付着から守ることができる収納構成を持った体脂肪測定装置を提供することを目的とする。
【課題を解決するための手段】
【００１１】
前記従来の課題を解決するために、本発明の体脂肪測定装置は、足部電極を備え測定時に被測定者が乗る人体載置部と、手部電極を備え測定時に被測定者が手で把持する把持部を有し、把持部と人体載置部をケーブルで接続し、人体載置部と連設してケーブルと把持部を収納する箱状収納部を形成し、箱状収納部の開口部を覆うカバー部を設けたものである。
【００１２】
これによって、収納時には把持部をカバーすることによって日常生活で舞い上がる埃・ゴミ等から把持部が汚れるのを防止することができる。
【発明の効果】
【００１３】
本発明の体脂肪測定装置は、収納時に箱状収納部の開口部をカバー部で覆い隠すことにより、日常生活で舞い上がる埃・ゴミ等が把持部、ケーブルおよび箱状収納部に付着するのを防止することができ、体脂肪測定装置を清潔に保つことができる。
【発明を実施するための最良の形態】
【００１４】
第１の発明は、被測定者の足に接触する足部電極と、足部電極を備え測定時に被測定者が乗る人体載置部と、被測定者の手に接触する手部電極と、手部電極を備え測定時に被測定者が手で把持する把持部と、人体載置部内に足部電極と手部電極の間のインピーダンスを測定するインピーダンス測定手段と、被測定者の身体的特徴をあらわす被測定者情報を入力する入力手段と、インピーダンスと被測定者情報から体脂肪率を計算する計算手段と、計算結果を報知する報知手段を有し、把持部と人体載置部をケーブルで接続し、人体載置部と連設してケーブルと把持部を収納する箱状収納部を形成し、箱状収納部の開口部を覆うカバー部を設けたことにより、日常生活で舞い上がる埃・ゴミ等が把持部、ケーブルおよび箱状収納部に付着するのを防止することができ、体脂肪測定装置を清潔に保つことができる。
【００１５】
第２の発明は、特に、第１の発明のカバー部を箱状収納部の外周に沿って摺動する回転式カバーで構成したことにより、カバー部を開けたときに、カバー部が箱状収納部の外周沿いに配置されるので、把持部の取出し・収納の際に、カバーを開くための余分なスペースを確保する必要がなく、操作性を向上させることができる。
【００１６】
第３の発明は、特に、第２の発明の回転式カバーの荷重バランスが、開方向への回転力を発生するように構成し、回転式カバー閉時は回転式カバーを係止するロック機構を構成したことにより、ロックを解除するだけで、回転式カバーが自重で開方向に回転し、容易に回転式カバーを開くことができる。
第４の発明は、特に、第３の発明のロック機構を回転式カバーの長手方向中央部分に設けた凸部と箱状収納部の相対する位置に設けた凸部で構成したので、回転式カバーを開方向に回転させる力を加えることで、回転式カバーの凸部が箱状収納部の凸部を乗り越えてロックが解除され、その後は、双方の凸部は干渉することなく回転式カバーが自重で開方向に回転して回転式カバーを開くことができる。ここで、回転式カバーの凸部が長手方向中央部分に設けられているので、箱状収納部の凸部を乗り越える際に回転式カバーの凸部近傍は容易にたわむことができ、回転式カバーの開閉時に、スムーズにロック機構を有効／無効にすることができると同時に、凸部同士の磨耗を低減することができる。
【００１７】
第５の発明は、特に、第３〜４のいずれか１つの発明の箱状収納部と人体載置部の連接部に回転式カバーの自重による回転力よりも大きな摺動摩擦力を発生する摺動摩擦機構を備えたことにより、回転式カバーが全開直前で開方向への回転に対してブレーキがかかり人体載置部への衝突音もなく静かに停止することができるので、使用感の良好な開動作を提供することができる。
【００１８】
第６の発明は、特に、第１〜５のいずれか１つの発明の箱状収納部に、床面方向への貫通穴を備えたことにより、箱状収納部に誤って水等をこぼしたとしても貫通穴より外部へ排水されるので、箱状収納部内を清潔に保つことができる。
【００１９】
以下、本発明の実施の形態について、図面を参照しながら説明する。なお、この実施の形態によって本発明が限定されるものではない。
【００２０】
（実施の形態）
図１は本発明の一実施例の体脂肪測定装置の外観図、図２はそのブロック図、図３は測定時の状態図である。
【００２１】
本実施例の体脂肪測定装置は上面に人体載置部１０２を形成し、ここに足部電極１０１が取り付けられている。人体載置部１０２には、被測定者情報を入力するための入力手段としてのキースイッチ１０６、報知手段として液晶表示器１０７が備えられている。人体載置部１０２の下部には重量測定機構を有する体重測定部１０３を構成しており、人体載置部１０２と把持部１０５はケーブル１０８で接続されている。把持部１０５は本実施例では樹脂で構成され、手部電極１０４は薄板ステンレス等の導体で構成している。測定時、被測定者１１１は図３に示すように、床面１１３の上に置かれた人体載置部１０２の上に素足で乗り、回転式カバー１１７を開いて箱状収納部１１６より把持部１０５を取り出して握り所定の測定姿勢を維持する。このとき手部電極１０４は被測定者１１１の手のひらに、足部電極１０１は被測定者１１１の足の裏に接触する。図２に示すように足部電極１０１ならびに手部電極１０４はインピーダンス測定手段１０９に接続されている。インピーダンス測定手段１０９は４端子法により、足部電極１０１の１つの電極と手部電極１０２の１つの電極間に定電流を流し、足部電極１０１の他方の電極と手部電極１０２の他方の電極間で電圧を測定することによって、インピーダンスを測定できるよう構成されている。本実施例では、５０ｋＨｚ、８００μＡの人体が感じることのない微弱な電流を使用している。測定したインピーダンスは計算手段としてのマイクロコンピュータ１１０に入力される。マイクロコンピュータ１１０には先に説明したキースイッチ１０６と液晶表示器１０７が接続されている。
【００２２】
続いて図４は収納時の正面図であり、（ａ）は回転式カバー１１７を閉じているとき、（ｂ）は開いているときを示す。図５は把持部１０５と取り出したとき、すなわち使用時の正面図である。図６は、図４の点線（ア）における断面図であり、（ａ）は回転式カバー１１７を閉じているとき、（ｂ）は開いているときを示す。図７は同様に図４の点線（ア）における断面図であり、ロック機構１２２が解除されるときを示す。
【００２３】
人体載置部１０２の外側に連接された箱状収納部１１６は、ケーブル１０８と把持部１０５を着脱自在に収納されるように構成している。回転式カバー１１７は回転軸１２５を軸として箱状収納部１１６の外周に沿って回転可能に構成されており、全閉時には上面開口部１１８を覆い、全開時には、箱状収納部１１６と床面１１３との空間に収まる。回転式カバー１１７には凸部Ａ１２２ａを、箱状収納部１１６には凸部Ｂ１２２ｂを設けて、全閉状態で回転式カバー１１７を固定できるロック機構１２２を構成している。また、回転式カバー１１７は回転軸１２５をとおる垂直線（イ）の左右の荷重バランスが、左側（閉方向）＜右側（開方向）となるように構成されており、自重による開方向への回転力が発生している。箱状収納部１１６と回転式カバー１１７の間には、凸部Ａ１２２ａおよび凸部Ｂ１２２ｂの高さ以上の隙間を備えている。さらに、箱状収納部１１６の外周は人体載置部１０２との連接部に近づくにつれて外周が大きくなるように構成された摺動摩擦部１２３を備えている。箱状収納部１１６の底部には床面方向への貫通穴１２４が設けられている。
【００２４】
次に動作、作用について説明する。測定に先立ち、被測定者１１１はキースイッチ１０６により、被測定者情報として身長、性別を入力する。キースイッチ１０６はマイクロコンピュータ１１０に接続されているので、マイクロコンピュータ１１０はこれらの被測定者情報をあらかじめ入力される。
【００２５】
次に、回転式カバー１１７を開け、内部に収納されている把持部１０５を取り出す。ロック機構１２２解除後は、回転式カバー１１７の凸部Ａ１２２ａと箱状収納部１１６の外周、および回転式カバー１１７の内周と箱状収納部１１６の凸部Ｂ１２２ｂは干渉しない。また、回転式カバー１１７は自重による開方向への回転力が発生しているため、ロック機構１２２である凸部１２２ａと凸部１２２ｂの勘合をはずすと、その後は自動的に回転式カバー１１７が開き、その状態を維持するので、容易に把持部１０５を取り出すことができる。また、回転式カバー１１７が全開に近づくにつれ、摺動摩擦部１２３の摩擦抵抗が大きくなり、徐々に回転速度が減速しながら停止するので、回転式カバー１１７の回転停止を静かに行うことができる。
【００２６】
次に、被測定者１１１は図３に示すように、腕を水平にのばした状態で把持部１０５を握り、人体載置部１０２に乗る。このとき、体重測定部１０３で体重値を測定しその結果がマイクロコンピュータ１１０に入力され、手部電極１０４は被測定者１１１の手のひらに、足部電極１０１は被測定者１１１の足の裏に接触する。手部電極１０４及び足部電極１０１はインピーダンス測定手段１０９に接続されており、被測定者１１１の手足間のインピーダンスを測定する。インピーダンス測定手段１０９からのインピーダンスがマイクロコンピュータ１１０に入力されると、マイクロコンピュータ１１０はプログラムによりインピーダンスと被測定者情報から体脂肪率を計算し、結果を液晶表示器１０７に出力する。体脂肪率を求める式は各種のものが知られているが、本実施例では、体密度より求めるＢｒｏｚｅｃの式（Ｂｒｏｚｅｃらの報告書 Ｊ．Ｂｒｏｚｅｃ、Ｆ．Ｇｒａｎｄｅ、Ｊ．Ｔ．Ａｎｄｅｒｓｏｎ ａｎｄ Ａ．特開２０００―３３３９２５ (4)Ｋｅｙ；“Ａｎ ＮＹ Ａｃａｄ．ｓｃｉ １１０（１９６３）１１３―４０）を用いている。たとえば男性の場合、下記のとおりとなる。
体密度＝１．１５５４―．０８４１×体重×インピーダンス／身長2
体脂肪率（％）＝（４．９５／体密度―４．５）×１００
なお、この式は男性の場合の式であるが、女性の場合も各部の係数を変えることにより適用できるので、被測定者情報に含まれる性別を元に式を切り換える。また、体脂肪率を求める式はこの他にも多くの式が報告されているが、インピーダンスから体脂肪率を求める式であれば、どのような式を用いて、本発明の趣旨を逸脱するものではない。
【００２７】
測定終了後に収納するときには、図４（ｂ）に示すように、ケーブル１０８を折り返した上に把持部１０５を置く。そして、回転式カバー１１７を全閉状態まで回転させると、ロック機構１２２が有効となり、回転式カバー１１７が閉じた状態となるので、把持部１０５、ケーブル１０８と箱状収納部１１６の内側に埃・ゴミ等が付着するのを防ぐことができる。
【００２８】
また、把持部１０５とケーブル１０８を外部から見えなくなるので、同時に美観的にもよいものとなる。また開口部１１８を回転式カバー１１７で覆うことができるので、ケーブル１０８と把持部１０５が箱状収納部１１６からはみ出し落下等することもないので、収納や移動時等に邪魔になることもなく不用意に蹴飛ばしたりすることもなくなり把持部１０５が故障する確率も低減できる。
【００２９】
また、回転式カバー１１７の凸部Ａ１２２ａは、回転軸１２５から最も遠い長手方向中央部分に備えられているので、箱状収納部１１６の凸部Ｂ１２２ｂを乗り越える際には、回転軸１２５を支点として、図６に示すように（ウ）の方向に容易にたわむことができる。これにより、凸部Ａ１２２ａが凸部Ｂ１２２ｂを乗り越える際の動作をスムーズに行えるだけでなく、双方の凸部の磨耗を低減することができるので、操作性が良く、また耐久性にも優れたロック機構１２２を実現することができる。
【００３０】
また、箱状収納部１１６の底部には底面方向への貫通穴１２４が設けられているので、箱状収納部１１６に誤って水等をこぼしたとしても貫通穴１２４より外部へ排水されるので、箱状収納部内を清潔に保つことができる。
【産業上の利用可能性】
【００３１】
以上のように、本発明にかかる体脂肪測定装置は、収納時には把持部をカバーすることによって日常生活で舞い上がる埃・ゴミ等から把持部が汚れるのを防止することができる。
【図面の簡単な説明】
【００３２】
【図１】本発明の実施の形態における体脂肪測定装置の概観図
【図２】本発明の実施の形態における体脂肪測定装置のブロック図
【図３】本発明の実施の形態における測定時の状態図
【図４】（ａ）本発明の実施の形態における回転式カバー全閉時の体脂肪測定装置の正面図（ｂ）本発明の実施の形態における回転式カバー全開時の体脂肪測定装置の正面図
【図５】本発明の実施の形態における使用時の体脂肪測定装置の正面図
【図６】（ａ）本発明の実施の形態における回転式カバー全閉時の箱状収納部の断面図（ｂ）本発明の実施の形態における回転式カバー全開時の箱状収納部の断面図
【図７】本発明の実施の形態における回転式カバーロック解除時の箱状収納部の断面図
【図８】従来の体脂肪測定装置の概観図
【図９】従来の体脂肪測定装置における測定時の状態図
【図１０】従来の体脂肪測定装置における箱状収納部の側面図
【符号の説明】
【００３３】
１０１  手部電極
１０２  人体載置部
１０３  体重測定部
１０４  手部電極
１０５  把持部
１０６  キースイッチ
１０７  液晶表示器
１０８  ケーブル
１０９  インピーダンス測定部
１１０  マイクロコンピュータ
１１１  被測定者
１１６  箱状収納部
１１７  回転式カバー
１２２  ロック機構
１２２ａ  凹部Ａ
１２２ｂ  凸部Ｂ
【図１】
2006296771.tif 000003
【図２】
2006296771.tif 000004
【図３】
2006296771.tif 000005
【図４】
2006296771.tif 000006
【図５】
2006296771.tif 000007
【図６】
2006296771.tif 000008
【図７】
2006296771.tif 000009
【図８】
2006296771.tif 000010
【図９】
2006296771.tif 000011
【図１０】
2006296771.tif 000012